(57)【要約】【課題】読み取った画像データを携帯メモリに保存することができる画像読取装置において、高いセキュリティの確保を実現し、携帯メモリの不正な利用を防止することができる画像読取装置を提供する。【解決手段】本発明に係る画像読取装置は、読み取った画像データを着脱可能な携帯メモリに保存することができる画像読取装置において、記憶部と、前記携帯メモリに対応したキーファイルを作成するキーファイル作成部と、作成した前記キーファイルを前記記憶部に登録すると共に携帯メモリに保存するメモリ制御部と、画像データを携帯メモリに保存する前に、記憶部に登録されているキーファイルと携帯メモリに保存されているキーファイルとの一致判定を行う判定部と、判定部にて一致が判定された場合、画像データを携帯メモリに保存する画像データ保存制御部と、を備えたことを特徴とする。【選択図】  図１
2008263609.tif 000002
【特許請求の範囲】
【請求項１】
読み取った画像データを着脱可能な携帯メモリに保存することができる画像読取装置において、
記憶部と、
前記携帯メモリに対応したキーファイルを作成するキーファイル作成部と、
作成した前記キーファイルを前記記憶部に登録すると共に前記携帯メモリに保存するメモリ制御部と、
前記画像データを前記携帯メモリに保存する前に、前記記憶部に登録されている前記キーファイルと前記携帯メモリに保存されている前記キーファイルとの一致判定を行う判定部と、
前記判定部にて一致が判定された場合、前記画像データを前記携帯メモリに保存する画像データ保存制御部と、
を備えたことを特徴とする画像読取装置。
【請求項２】
前記キーファイル作成部は、
前記携帯メモリに予め保持されている前記携帯メモリに固有の識別情報を読み出し、読み出した前記識別情報に基づいて前記キーファイルを作成する、
ことを特徴とする請求項１に記載の画像読取装置。
【請求項３】
前記判定部は、
前記携帯メモリに予め保持されている前記識別情報と、前記キーファイルに含まれている前記識別情報との一致判定をさらに行う、
ことを特徴とする請求項２に記載の画像読取装置。
【請求項４】
前記キーファイル作成部は、
前記キーファイルを作成するときの時刻情報を含む登録情報と、前記識別情報とに基づいて前記キーファイルを作成する、
ことを特徴とする請求項２に記載の画像読取装置。
【請求項５】
前記画像データを前記携帯メモリに保存するときに
前記キーファイル作成部は、前記キーファイルを新たに作成し、
前記メモリ制御部は、前記新たに作成された前記キーファイルによって前記記憶部に登録されている過去のキーファイルを更新すると共に、前記携帯メモリに保存されている過去のキーファイルを更新する、
ことを特徴とする請求項１に記載の画像読取装置。
【請求項６】
前記画像データを前記携帯メモリに保存するときに
前記キーファイル作成部は、前記キーファイルを新たに作成し、
前記メモリ制御部は、前記新たに作成された前記キーファイルによって前記記憶部に登録されている過去のキーファイルを更新すると共に、前記携帯メモリに保存されている過去のキーファイルを更新する、
ことを特徴とする請求項４に記載の画像読取装置。
【請求項７】
前記メモリ制御部は、
外部からの指示に基づき、前記記憶部に登録してある前記キーファイルを削除可能に構成されている、
ことを特徴とする請求項１に記載の画像読取装置。
【請求項８】
前記画像データ保存制御部は、
前記画像データを前記携帯メモリに保存すると共に、前記画像データの内容の少なくとも一部と保存時の属性情報とを前記記憶部に保存する、
ことを特徴とする請求項１に記載の画像読取装置。
【請求項９】
前記画像データ保存制御部は、
前記画像データを前記携帯メモリに保存するときにユーザ認証を行い、
前記判定部にて一致が判定され、かつユーザ認証が成功した場合に、前記画像データを前記携帯メモリに保存する、
ことを特徴とする請求項１に記載の画像読取装置。
【請求項１０】
着脱可能な携帯メモリに読み取った画像データを保存することができる画像読取装置の制御方法において、
（ａ）前記携帯メモリに対応したキーファイルを作成し、
（ｂ）作成した前記キーファイルを記憶部に登録すると共に前記携帯メモリに保存し、
（ｃ）前記画像データを前記携帯メモリに保存する前に、前記記憶部に登録されている前記キーファイルと前記携帯メモリに保存されている前記キーファイルとの一致の判定を行い、
（ｄ）一致していると判定された場合、前記画像データを前記携帯メモリに保存する、
ステップを備えたことを特徴とする画像読取装置の制御方法。
【請求項１１】
ステップ（ａ）では、
前記携帯メモリに予め保持されている前記携帯メモリに固有の識別情報を読み出し、読み出した前記識別情報に基づいて前記キーファイルを作成する、
ことを特徴とする請求項１０に記載の画像読取装置の制御方法。
【請求項１２】
ステップ（ｃ）では、
前記携帯メモリに予め保持されている前記識別情報と、前記キーファイルに含まれている前記識別情報との一致判定を行う、
ステップをさらに備えたことを特徴とする請求項１１に記載の画像読取装置の制御方法。
【請求項１３】
ステップ（ａ）では、
前記キーファイルを作成するときの時刻情報を含む登録情報と、前記識別情報とに基づいて前記キーファイルを作成する、
ことを特徴とする請求項１１に記載の画像読取装置の制御方法。
【請求項１４】
ステップ（ｄ）において前記画像データを前記携帯メモリに保存するときに、
前記キーファイルを新たに作成し、
新たに作成された前記キーファイルによって前記記憶部に登録されている過去のキーファイルを更新すると共に、前記携帯メモリに保存されている過去のキーファイルを更新する、
ステップをさらに備えたことを特徴とする請求項１０に記載の画像読取装置の制御方法。
【請求項１５】
ステップ（ｄ）において前記画像データを前記携帯メモリに保存するときに、
前記キーファイルを新たに作成し、
前記新たに作成された前記キーファイルによって前記記憶部に登録されている過去のキーファイルを更新すると共に、前記携帯メモリに保存されている過去のキーファイルを更新する、
ステップをさらに備えたことを特徴とする請求項１３に記載の画像読取装置の制御方法。
【請求項１６】
外部からの指示に基づき、前記記憶部に登録してある前記キーファイルを削除する、
ステップをさらに備えたことを特徴とする請求項１０に記載の画像読取装置の制御方法。
【請求項１７】
ステップ（ｄ）では、
前記画像データを前記携帯メモリに保存すると共に、前記画像データの内容の少なくとも一部と保存時の属性情報とを前記記憶部に保存する、
ことを特徴とする請求項１０に記載の画像読取装置の制御方法。
【請求項１８】
ステップ（ｄ）では、
前記画像データを前記携帯メモリに保存するときにユーザ認証を行い、
一致が判定され、かつユーザ認証が成功した場合に、前記画像データを前記携帯メモリに保存する、
ことを特徴とする請求項１０に記載の画像読取装置の制御方法。
【発明の詳細な説明】
【技術分野】
【０００１】
本発明は、画像読取装置、及びその制御方法に係り、特に、読み取った画像データをＵＳＢメモリ等の携帯メモリに保存することができる画像読取装置及びその制御方法に関する。
【背景技術】
【０００２】
近時、フラッシュメモリ等の不揮発性半導体メモリの記憶容量は急速に増大してきている。これを受けて、小型軽量でかつ大容量の各種携帯メモリが出現してきている。例えば、ＵＳＢフラッシュメモリ、ＳＤメモリカード、コンパクトフラッシュ（登録商標）、メモリスティック等の携帯メモリが市場に流通している。また、従来から大容量を誇っていたハードディスクの分野においても、小型で低消費電力のＨＤＤ（Hard  disk  drive）が実現され、ＵＳＢ対応型等の携帯メモリとして出現してきている。
【０００３】
これらの携帯メモリの普及に伴い、スキャナ装置や、スキャン機能を有するＭＦＰ（Multi-Function  Peripheral）等の画像読取装置では、読み取った画像データを簡単な操作で外部接続した携帯メモリに転送し、保存することが可能となってきている。
【０００４】
携帯メモリは、誰でも簡単な操作でデータを保存することができ、持ち運びが容易である反面、重要なデータが不正に持ち出されるリスクも高い。このため、携帯メモリが利用可能な機器では、セキュリティの確保が重要な課題となっている。
【０００５】
例えば、特許文献１には、メモリカードが装着可能な携帯電話等の移動無線端末装置において、メモリカードが保持する固有の識別情報を予め移動無線端末装置の内部メモリに登録しておき、登録されたメモリカードに対してのみデータの保存を許可する技術が開示されている。
【特許文献１】特開２００２−３００２９８号公報
【発明の開示】
【発明が解決しようとする課題】
【０００６】
特許文献１が開示する技術を画像読取装置に適用することで、読み取った画像データの不正持ち出しをある程度は防止することもできる。
【０００７】
しかしながら、スキャナ装置やＭＦＰ等の画像読取装置は、携帯電話等の個人利用を前提とした機器と異なり、職場等で多くのユーザに利用される装置である。このため、例えば、携帯メモリを紛失してそれが第三者に渡った場合や、携帯メモリを盗難された場合には、たとえ携帯メモリに固有の識別情報を予め登録しておいても簡単に不正利用されてしまう可能性がある。
【０００８】
画像読取装置で読み取る画像データの中には極めて機密性の高いデータも含まれうるため、携帯メモリの利用に際してはより高いセキュリティの確保が必要となる。
【０００９】
本発明は上記事情に鑑みてなされたもので、読み取った画像データを携帯メモリに保存することができる画像読取装置において、高いセキュリティの確保を実現し、携帯メモリの不正な利用を防止することができる画像読取装置及びその制御方法を提供することを目的とする。
【課題を解決するための手段】
【００１０】
上記課題を解決するため、本発明に係る画像読取装置は、読み取った画像データを着脱可能な携帯メモリに保存することができる画像読取装置において、記憶部と、前記携帯メモリに対応したキーファイルを作成するキーファイル作成部と、作成した前記キーファイルを前記記憶部に登録すると共に前記携帯メモリに保存するメモリ制御部と、前記画像データを前記携帯メモリに保存する前に、前記記憶部に登録されている前記キーファイルと前記携帯メモリに保存されている前記キーファイルとの一致判定を行う判定部と、前記判定部にて一致が判定された場合、前記画像データを前記携帯メモリに保存する画像データ保存制御部と、を備える。
【００１１】
また、本発明に係る画像読取装置の制御方法は、着脱可能な携帯メモリに読み取った画像データを保存することができる画像読取装置の制御方法において、（ａ）前記携帯メモリに対応したキーファイルを作成し、（ｂ）作成した前記キーファイルを記憶部に登録すると共に前記携帯メモリに保存し、（ｃ）前記画像データを前記携帯メモリに保存する前に、前記記憶部に登録されている前記キーファイルと前記携帯メモリに保存されている前記キーファイルとの一致の判定を行い、（ｄ）一致していると判定された場合、前記画像データを前記携帯メモリに保存する、ステップを備える。
【発明の効果】
【００１２】
本発明に係る画像読取装置及び画像読取装置の制御方法によれば、読み取った画像データを携帯メモリに保存することができる画像読取装置において、高いセキュリティの確保を実現し、携帯メモリの不正な利用を防止することができる。
【発明を実施するための最良の形態】
【００１３】
本発明に係る画像読取装置及びその制御方法の実施形態について、添付図面を参照して説明する。
【００１４】
（１）画像読取装置の構成
図１は、本発明の一実施形態に係る画像読取装置１の構成例を示す図である。画像読取装置１は、原稿読み取り専用のスキャナや、複写機或いはＭＦＰ（Multi-Function  Peripheral）の原稿読み取り部として構成される装置である。
【００１５】
画像読取装置１は、キーファイル作成部１０、記憶部２０、読取部３０、メモリ制御部１１、判定部１２、画像データ保存制御部１３、コントロールパネル４０等を備えて構成されている。
【００１６】
また、画像読取装置１は、携帯メモリ１００を着脱できるように構成されている。携帯メモリ１００の種類は特に限定するものではないが、例えば、ＵＳＢフラッシュメモリ、ＳＤメモリカード、コンパクトフラッシュ、メモリスティック等の不揮発性半導体メモリである。また、携帯メモリ１００は、例えば、小型で低消費電力のＨＤＤ（Hard  disk  drive）を内蔵する外部記憶装置である。
【００１７】
携帯メモリ１００は、画像データを保存するときには画像読取装置１に装着され、画像データの保存後は画像読取装置１から取り外され、保存した画像データを自由に持ち運ぶことができる。
【００１８】
読取部３０は、例えばＣＣＤセンサ（図示せず）を内蔵し、原稿２００を光学的に読み取って画像データに変換する。この画像データは、画像データ保存制御部１３の制御の下で携帯メモリ１００に保存されるが、保存に先立って携帯メモリ１００の正当性（正規に登録された携帯メモリ１００であり、偽造品ではないこと）を判定部１２で判定している。画像読取装置１に装着された携帯メモリ１００が正当であることが判定部１２で判定されたときに限り、画像データ保存制御部１３は、携帯メモリ１００への画像データの保存を許可するようにしている。
【００１９】
判定部１２で行われる携帯メモリ１００の正当性の判定は、携帯メモリ１００の登録時に携帯メモリ１００に保存したキーファイル１０２と、この保存と同時に画像読取装置１の記憶部２０に登録されるキーファイル２０１との照合によって行われる。
【００２０】
キーファイル作成部１０は、装着された携帯メモリ１００から識別情報を読み出す。通常、携帯メモリ１００には、製造業者識別情報、製品識別情報、シリアル番号等が、携帯メモリ１００の識別情報として所定の領域に記録されている。この識別情報を画像読取装置１で読み取り、その後、読み取った識別情報に基づいてキーファイル１０２、２０１を作成する。
【００２１】
キーファイル１０２、２０１の元となる情報には、上記の携帯メモリ１００の識別情報に加え、携帯メモリ１００を登録するときの登録情報を含めた方が情報改竄防止の観点からはより好ましい。
【００２２】
登録情報としては、登録時の時刻情報、携帯メモリ１００の登録者（正規の利用者）のユーザ名、部門名、パスワード等がある。登録時の時刻情報は、画像読取装置１が内蔵するタイマ（ＲＴＣ：Real  Time  Clock）等から自動的に得られる。また、登録者のユーザ名、部門名、パスワードは、登録者がコントロールパネル４０から入力する情報から得られる。
【００２３】
以下では、識別情報と登録情報の双方に基づいてキーファイル１０２、２０１を作成するものとして説明する。
【００２４】
キーファイル作成部１０では、識別情報と登録情報とを画像読取装置１のみが解読可能な情報に変換してキーファイルを作成する。例えば、画像読取装置１が独自に生成した暗号鍵を用いて、読み取った識別情報と登録情報とを暗号化し、これをキーファイル１０２、２０１とする。
【００２５】
メモリ制御部２０１は、作成されたキーファイル１０２を携帯メモリ１００に保存すると共に、同じ内容のキーファイル２０１を、画像読取装置１の記憶部２０に登録する。記憶部２０は、不揮発性の記憶装置、例えばＨＤＤ（Hard  Disk  Drive）等である。
【００２６】
記憶部２０に登録したキーファイル２０１は、画像読取装置１の管理者であれば削除することができるように構成されている。携帯メモリ１００の正規の利用者は、携帯メモリ１００を紛失した場合や、携帯メモリ１００が盗難された場合には管理者に通知し、管理者は該当するキーファイル２０１を削除する。キーファイル２０１が削除された後は、判定部１２にてキーファイル１０２、２０１同士の一致判定ができないため、紛失した或いは盗難された携帯メモリ１００に対する読み取りデータの保存は禁止され、不正な画像データの持ち出しを防止することができる。
【００２７】
記憶部２０には、キーファイル２０１の他に、携帯メモリ１００に保存する画像データの一部又は全部を保存する。このとき、保存時の属性情報として、原稿を読み取った時刻情報やユーザ名等も合わせて保存すると良い。携帯メモリ１００によって不正に画像データが持ち出されたことが発覚した場合は、管理者等は記憶部２０に保存されている画像データや属性情報を参照し、どのテータがいつ不正に持ち出されたかを特定することが可能となる。これにより、不正持ち出しによる被害を最小限に抑えることができる。記憶部２０に保存する画像データは、携帯メモリ１００によって持ち出された画像データを特定するのに十分なデータあればよく、必ずしも携帯メモリ１００に保存する総ての画像データを保存する必要は無い。例えば、読み取った原稿を特定することができる表紙の部分だけでもよく、圧縮処理によって画質を低下させたものでもよい。これにより、記憶部２０の記憶容量を節約できる。
【００２８】
（２）画像読取装置の制御方法
上記のように構成された画像読取装置１の制御方法、特に、携帯メモリ１００の登録時の処理、及び携帯メモリ１００に画像データを保存する時の処理について説明する。
【００２９】
図２は、携帯メモリ１００の登録時の処理の一例を示すフローチャートである。図２中、破線で囲んだ部分はユーザの操作であることを示している（図３も同様である）。
【００３０】
まず、ユーザ（携帯メモリ１００の正規保持者）は、未使用の携帯メモリ１００を画像読取装置１に装着し、接続する（ステップＳＴ１）。
【００３１】
画像読取装置１は、携帯メモリ１００が接続されたことを検出し、コントロールパネル４０に登録画面を表示する（ステップＳＴ２）。
【００３２】
ユーザは、ユーザ名、部門名、パスワード等の登録情報をコントロールパネル４０の登録画面に入力する（ステップＳＴ３）。
【００３３】
次に、携帯メモリ１００が保持している識別情報を読込む（ステップＳＴ４）。
【００３４】
次に、登録情報（ユーザによって入力された登録情報と、画像読取装置１が内蔵するＲＴＣ（リアルタイムクロック）から自動取得する時刻情報）と、読込んだ識別情報を暗号鍵で暗号化し、キーファイル１０２、２０１を作成する（ステップＳＴ５）。
【００３５】
作成したキーファイル２０１を記憶部２０に登録し（ステップＳＴ６）。また、同じ内容のキーファイル１０２を携帯メモリ１００に保存する（ステップＳＴ７）。最後に、携帯メモリ１００の登録が完了したことをコントロールパネル４０に表示し（ステップＳＴ８）、登録処理を終了する。
【００３６】
図３及び図４は、画像読取装置１で読み取った画像データを携帯メモリ１００に保存する処理の一例を示す図である。
【００３７】
まず、ユーザ（正規保持者ではない第三者も含まれうる）は、携帯メモリ１００を画像読取装置１に装着し、接続する（ステップＳＴ１１）。
【００３８】
画像読取装置１の判定部１２は接続された携帯メモリ１００にアクセスし、携帯メモリ１００にキーファイル１０２が保存されているか否かを判定する（ステップＳＴ１２）。
【００３９】
前述したように、携帯メモリ１００の登録では、キーファイル２０１を内部の記憶部２０に登録すると共に、同じ内容のキーファイル１０２を携帯メモリ１００にも保存している。従って、携帯メモリ１００にキーファイル１０２が保存されていないということは、その携帯メモリ１００が登録されたものではないことを意味している。そこで、携帯メモリ１００にキーファイル１０２が保存されていない場合は（ステップＳＴ１２のＮＯ）、コントロールパネル４０に「このメモリは登録されていません」等の表示を行い（ステップＳＴ１３）、処理を終了する。
【００４０】
携帯メモリ１００にキーファイル１０２が保存されている場合は、キーファイル１０２を読込む。また、携帯メモリ１００に保持されている識別情報も併せて読込む（ステップＳＴ１４）。
【００４１】
次に、登録時に用いた暗号鍵を用いてキーファイル１０２を復号し、キーファイル１０２に含まれている識別情報を抽出する。抽出した識別情報と、現在画像読取装置１に装着されている携帯メモリ１００から読み取った識別情報とが一致するか否かを判定する（ステップＳＴ１５）。
【００４２】
登録した携帯メモリ１００のキーファイル１０２を不正にコピーし、「他の携帯メモリ」にキーファイル１０２を保存したような場合、即ち携帯メモリ１００を偽造した場合、には、「他の携帯メモリ」が保持する識別情報と、キーファイル１０２に含まれている識別情報とは一致しなくなる。ステップＳＴ１５の判定により、キーファイル１０２の不正コピーの有無を検出できる。キーファイル１０２の識別情報と現在の携帯メモリ１００の識別情報とが一致しなかった場合は、キーファイル１０２の不正コピーがあった可能性が高く、「このキーファイルはこのメモリ用に発行されたものではありません」等をコントロールパネル４０に表示し（ステップＳＴ１６）、処理を終了する。
【００４３】
次に、記憶部２０を検索し、読み取ったキーファイル１０２の内容と一致する内容のキーファイル２０１が登録されているか否かを判定する（ステップＳＴ１８）。この判定により、現在接続されている携帯メモリ１００が正規に登録された携帯メモリ１００であるかどうかをさらに重ねて確認することができる。
【００４４】
また、前述したように、携帯メモリ１００の紛失や盗難が発生した場合には、画像読取装置１の管理者は記憶部２０に登録したキーファイル２０１を削除することができる。携帯メモリ１００の正規の保持者が紛失や盗難に気付いた場合は、その旨を管理者に通知し、該当する携帯メモリ１００のキーファイル２０１が削除される。この結果、ステップＳＴ１８の判定処理により、紛失した或いは盗難された携帯メモリ１００が使用されることを防止することができる。読み取ったキーファイル１０２に一致するキーファイル２０１がその時点で記憶部２０に登録されていない場合は（ステップＳＴ１８のＮＯ）、「キーファイルが一致しません」等をコントロールパネル４０に表示し（ステップＳＴ１９）、処理を終了する。
【００４５】
さらに、パスワードによるユーザ認証を行ってもよい。紛失や盗難によって登録された携帯メモリ１００が不正の第３者の手に渡ったとしても、正規の保持者がそのことに気付かない間は、記憶部２０に登録されたキーファイル２０１は削除されない。この場合、ステップＳＴ１８の判定をすり抜けてしまうことになる。パスワードによるユーザ認証を行うことにより、パスワードを知らない第３者による携帯メモリ１００の利用を排除することができる。
【００４６】
ステップＳＴ２０、２１はユーザ認証の処理であり、ユーザ認証に失敗した場合は、「パスワードが一致しません」等をコントロールパネル４０に表示し（ステップＳＴ２２）、処理を終了する。
【００４７】
ステップＳＴ２１におけるユーザ認証の成功は、接続されている携帯メモリ１００は正規に登録されたものであり、またその携帯メモリ１００は正規の使用者によって使用されていることが高い確率で検証されたことを意味している。この段階で、読み取った画像データを携帯メモリ１００に保存することが許可され、図４のステップＳＴ３１に進む。
【００４８】
ステップＳＴ３１で、画像読取装置１の読取部３０は、原稿２００を読み取る。次に、読み取った画像を所定のファイル形式、例えば、ＰＤＦ、ＪＰＥＧ、ＴＩＦＦ等、のファイル形式の画像データに変換する（ステップＳＴ３２）。その後、変換した画像データを携帯メモリ１００に保存する（ステップＳＴ３３）。
【００４９】
一方、携帯メモリ１００に保存した画像データと同じ画像データの一部又は全部と、保存日時、ユーザ（保存者）等の属性情報とを記憶部２０に登録する。万一、携帯メモリ１００による画像データの不正持ち出しが発生した場合には、管理者は記憶部２０に登録されたこの情報を参照し、いつ、どのような画像データが持ち出されたかを特定することが可能となる。この結果、不正持ち出しによる被害を最小限に留めることができる。
【００５０】
次のステップＳＴ３５、３６、３７は、キーファイル１０２、２０１の更新処理である。本実施形態では、単に携帯メモリ１００の認証情報だけを登録するのではなく、認証情報に登録情報を加えた情報に基づいてキーファイル１０２、２０１を生成し、これを画像読取装置１と携帯メモリ１００の双方に登録、保存するようにしている。このため、認証情報だけを登録する方法に比べると携帯メモリ１００の偽造はより困難となっている。しかしながら、認証情報やキーファイル１０２が偽造される可能性は完全には排除できない。
【００５１】
そこで、キーファイル１０２、２０１を画像データの保存の度に新しいファイルに更新し、これにより、万一、携帯メモリ１００が偽造された場合でもそれが継続的に使用されることを防止している。
【００５２】
正規の携帯メモリ１００に対してキーファイル１０２、２０１が更新されると偽造携帯メモリ１００の使用はできなくなる。逆に偽造携帯メモリ１００に対してキーファイル１０２、２０１が更新されると、正規の携帯メモリ１００が使用できなくなるため、その時点で偽造携帯メモリ１００による不正使用があったことを発見でき、適切な処置が可能となる。
【００５３】
具体的には、ステップＳＴ３５にて、現在の時刻情報を登録情報の一部とする新たなキーファイル１０２、２０１を作成する。この新たなキーファイル１０２、２０１を用いて、記憶部２０に登録されている旧いキーファイル２０１を更新する（ステップＳＴ３６）と共に、携帯メモリ１００に保存されている旧いキーファイル１０２を更新する。
【００５４】
なお、携帯メモリ１００の識別情報を読み取り、これのみを登録する方法では、画像データの保存の度に登録内容を新しいものに更新することがそもそも実施できない。このため、一旦携帯メモリ１００が偽造されると、長期間に亘ってその偽造携帯メモリ１００を使用される可能性がある。
【００５５】
最後に、「画像データの保存が完了しました。メモリを取り外せます」等をコントロールパネル４０に表示し、画像データの保存処理を終了する。
【００５６】
（３）第２の実施形態
図５は、第２の実施形態に係る画像読取装置１ａの構成例を示す図である。第１の実施形態に係る画像読取装置１では、キーファイル２０１や画像データ／属性情報を、画像読取装置１の内部の記憶部２０に登録している。これに対して、第２の実施形態に係る画像読取装置１ａは、第１の実施形態における画像読取装置１に相当する画像読取装置本体３００と、画像読取装置本体３００の外部に設けた記憶サーバ２００とで構成されている。第１の実施形態における記憶部２０の機能を、記憶サーバ２００で実現している点が相違しているが、その他の構成や機能は第１の実施形態と同様であり、細部の説明は省略する。
【００５７】
以上説明してきたように、第１、第２の実施形態に係る画像読取装置１、１ａ及びその制御方法によれば、読み取った画像データを携帯メモリ１００に保存することができる画像読取装置１において、画像データの保存の際に高いセキュリティの確保を実現し、携帯メモリ１００の不正な利用を防止することができる。
【００５８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の実施形態の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００５９】
【図１】本発明の第１の実施形態に係る画像読取装置の構成例を示す図。
【図２】携帯メモリの登録処理の一例を示すフローチャート。
【図３】携帯メモリへの画像データの保存処理の一例を示す第１のフローチャート。
【図４】携帯メモリへの画像データの保存処理の一例を示す第２のフローチャート。
【図５】本発明の第２の実施形態に係る画像読取装置の構成例を示す図。
【符号の説明】
【００６０】
１  画像読取装置
１０  キーファイル作成部
１１  メモリ制御部
１２  判定部
１３  画像データ保存制御部
２０  記憶部
４０  コントロールパネル
１００  外部メモリ
２０１  キーファイル
【図１】
2008263609.tif 000003
【図２】
2008263609.tif 000004
【図３】
2008263609.tif 000005
【図４】
2008263609.tif 000006
【図５】
2008263609.tif 000007